(57)【要約】【課題】繰出容器においてキャップの紛失を防止し、さらに、袴部材の回転をより容易に行えるようにする。【解決手段】繰出容器１Ａが、外筒体２、外筒体２の底部に回転可能に設けられた袴部材３、外筒体２内に収容され、棒状に成型された内容物Ａを載せる中皿４、外筒体２に上方から被さって内容物Ａを覆うキャップ５からなり、袴部材３が回転することにより中皿４が昇降し、内容物Ａが容器から繰り出されるか、あるいは容器内に収容される。キャップ５は袴部材３に嵌め込み可能とする。【選択図】図１
2005186992.tif 000002
【特許請求の範囲】
【請求項１】
外筒体、外筒体の底部に回転可能に設けられた袴部材、外筒体内に収容され、棒状に成型された内容物を載せる中皿、外筒体に上方から被さって内容物を覆うキャップからなり、袴部材が回転することにより中皿が昇降し、内容物が容器から繰り出され、あるいは容器内に収容される繰出容器であって、キャップが袴部材に嵌め込み可能である繰出容器。
【請求項２】
キャップの頂部が袴部材の底部に嵌め込み可能である請求項１記載の繰出容器。
【請求項３】
キャップが外筒体に被さっている状態又はキャップが袴部材に嵌め込まれている状態において、外筒体又は袴部材の外周面とキャップの外周面とが平滑に当接する請求項１又は２記載の繰出容器。
【請求項４】
請求項１〜３のいずれかに記載の繰出容器に、棒状に成型された内容物として口紅又はリップクリームが収容されている化粧品。
【請求項５】
請求項１〜３のいずれかに記載の繰出容器に、棒状に成型された内容物として糊が収容されている糊製品。
【発明の詳細な説明】
【技術分野】
【０００１】
本発明は、口紅、リップクリーム、スティック糊等に使用される繰出容器に関する。
【背景技術】
【０００２】
口紅、リップクリーム、スティック糊等を棒状に成型し、繰出容器に収容した化粧品、糊製品等が汎用されている。繰出容器は、一般に、容器本体の底部をなす袴部材、容器本体の外周部をなす筒状の外筒体、棒状に成型された内容物を載せる中皿、外筒体の上方から被さるキャップからなり、外筒体に対して袴部材が回転し、その回転に伴って容器本体の内部で中皿が昇降し、棒状に成型された内容物が繰り出されたり、あるいは収容されたりする。
【０００３】
袴部材の回転に伴い中皿を昇降させる繰出機構としては、袴部材の中央部から容器内部にネジ杆を起立させ、中皿を外筒体の内壁と係合させ、中皿の中央部にあけたネジ穴とネジ杆とを螺合させ、袴部材を回転させることによりネジ杆が回転し、中皿が外筒体内を上下するようにしたものがある（特許文献１）。この繰出機構では、袴部材を回転させるときに袴部材を把持し易くするため、袴部材の表面にローレット加工が施される場合が多い。
【０００４】
また、他の繰出機構としては、外筒体の内壁に螺旋溝を形成し、外筒体の内側に縦長のガイド穴を形成した内筒体を装着し、さらにその内側に中皿を嵌めたものがある。この中皿には、内筒体のガイド穴を通して外筒体の螺旋溝に挿入される凸部が形成されている。したがって、袴部と外筒体を相対的に回転させることにより中皿が内筒体内を昇降する（特許文献２）。
【０００５】
いずれの繰出機構のものでも、繰出容器の非使用時には、キャップを外筒体の上方から被せ、容器本体に収容された内容物を覆うが、繰出容器の使用時には、キャップを外筒体から取り外すことが必要とされる。
【０００６】
【特許文献１】特開２００３−５４１９４号公報
【特許文献２】特開２００３−９９４３号公報
【発明の開示】
【発明が解決しようとする課題】
【０００７】
従来の繰出容器のキャップは、外筒体から取り外したときに、容器本体に対して完全に別体となる。そのため、繰出容器の使用中にキャップを紛失するおそれがある。キャップを紛失すると、内容物が変質したり、内容物に埃やゴミが付着するという問題が生じる。
【０００８】
そこで、本発明は、繰出容器においてキャップの紛失を防止し、さらに、袴部材の回転をより容易に行えるようにすることを目的とする。
【課題を解決するための手段】
【０００９】
本発明者は、繰出容器から取り外したキャップを袴部材の底部に嵌め込めるようにすると、キャップの紛失を防止でき、また、内容物を繰り出すときに把持する部分が大きくなり、繰出操作が容易になることを見出した。
【００１０】
即ち、本発明は、外筒体、外筒体の底部に回転可能に設けられた袴部材、外筒体内に収容され、棒状に成型された内容物を載せる中皿、外筒体に上方から被さって内容物を覆うキャップからなり、袴部材が回転することにより中皿が昇降し、内容物が容器から繰り出され、あるいは容器内に収容される繰出容器であって、キャップが袴部材に嵌め込み可能である繰出容器を提供する。
【００１１】
また、本発明は、この繰出容器に、棒状に成型された内容物として、口紅又はリップクリームが収容されている化粧品を提供し、糊が収容されている糊製品を提供する。
【発明の効果】
【００１２】
本発明の繰出容器によれば、キャップが袴部材に嵌め込み可能であるため、繰出容器の使用時にキャップを外筒体から取り外したときに、そのキャップを直ちに袴部材に嵌め込むことができる。したがって、キャップの紛失を防止することができる。
【００１３】
また、キャップを袴部材に嵌め込むことにより、内容物を繰り出すために把持する部分が大きくなり、把持し易くなる。したがって、袴部材の表面が平滑でも、袴部材を把持して回転させることが容易となり、袴部材の表面にローレット加工を施すことが不要となる。また、これにより、繰出容器のデザイン上の制約が緩和され、例えば、キャップを外筒体に被せた状態でも、キャップを袴部材に嵌め込んだ状態でも、外筒体又は袴部材の外周面とキャップの外周面とが平滑に面一に当接した一体感のあるデザインにすることができる。
【発明を実施するための最良の形態】
【００１４】
以下、図面を参照しつつ本発明を詳細に説明する。なお、各図中、同一符号は同一又は同等の構成要素を表している。
【００１５】
図１は、本発明の一実施例の繰出容器であって、キャップを閉じている状態の斜視図（ａ）とその断面図（ｂ）であり、図２は、この繰出容器１Ａのキャップを開けた状態の斜視図（ａ）と断面図（ｂ）であり、図３は、この繰出容器１Ａから内容物を繰り出した状態の斜視図（ａ）と断面図（ｂ）である。
【００１６】
この繰出容器１Ａは、特許文献１と同様の繰出機構を有するもので、外筒体２、外筒体の底部に回転可能に設けられた袴部材３、外筒体内に収容された中皿４、及びキャップ５からなっている。中皿４の上には棒状に成型された口紅、リップクリーム、糊等の内容物Ａが載り、化粧品、糊製品等として使用される。
【００１７】
袴部材３の中央部にはネジ杆６が起立し、固定されている。中皿４の中央部にはネジ穴が開いており、ネジ杆６と螺合している。また、中皿４は、外筒体２の長手方向に移動可能であるように外筒体２と係合している。
【００１８】
キャップ５は、外筒体２の上端部に嵌合して外筒体２内の内容物Ａを覆うことができる。また、キャップ５の頂部５ａには、袴部材３の底部に嵌入させることのできる凸部が形成されており、外筒体２の上端部から取り外したキャップ５を、袴部材３の底部に嵌め込むことが可能となっている。そして、キャップ５を外筒体２に被せている状態（図１）及びキャップ５の頂部５ａを袴部材２の底部に嵌め込んでいる状態（図２）の双方において、キャップ５の外周面と外筒体２の外周面と袴部材３の外周面が平滑に面一に当接し、キャップ５と外筒体２と袴部材３とが一体感のあるデザインを呈するものとなっている。
【００１９】
この繰出容器１Ａの使用方法としては、まず、外筒体２の上端部に嵌合しているキャップ５（図１）を取り外し、その頂部５ａを袴部材３の底部に嵌め込む（図２）。次いで、図３に矢印で示したように、キャップ５を嵌め込んだ袴部材３を外筒体２に対して回転させる。これによりネジ杆６も回転し、ネジ杆６に螺合している中皿４が外筒体２内を上昇し、中皿４上に載っている内容物Ａが外筒体２の外側に繰り出される。また、袴部材３を逆方向に回転させると、中皿４が外筒体２内を下降し、内容物Ａは外筒体２内に収容される。
【００２０】
このように袴部材３を回転させるにあたり、袴部材３とそこに嵌め込んだキャップ５を共に把持して回転させればよいので、キャップ５を嵌め込まずに袴部材３だけを把持して回転させる場合に比して、容易に袴部材３を回転させることができる。
【００２１】
図４は、上述の繰出容器１Ａの変形態様の斜視図（ａ）と断面図（ｂ）である。この繰出容器１Ｂは、キャップの頂部５ａの凸部に縦リブ７を形成し、キャップの頂部５ａを嵌め込む袴部材３の底部に、縦リブ７と嵌合する溝８を形成したものである。これにより、キャップ５にかかる回転力を無駄なく袴部材３に伝達することが可能となる。
【００２２】
本発明の繰出容器は、さらに種々の態様をとることができる。例えば、図５は、上述の態様と異なる繰出容器１Ｃのキャップを閉じている状態の斜視図（ａ）と断面図（ｂ）であり、図６は、その繰出容器１Ｃのキャップを開けた状態の斜視図（ａ）と断面図（ｂ）である。この繰出容器１Ｃは、キャップ５の頂部に凸部はなく、平滑に形成されているが、キャップ５の底部５ｂと袴部材３の底部とが嵌合するように形成したものである。このように、本発明においては、キャップ５の底部５ｂが袴部材３の底部に嵌め込まれるようにしてもよい。
【００２３】
また、必要に応じて、袴部材３の周面にはローレット加工を施し、細かい縦溝９を形成してもよい。
【００２４】
図７は、特許文献２と同様の繰出機構を有する繰出容器１Ｄであって、キャップを閉じている状態の斜視図（ａ）と断面図（ｂ）であり、図８は、この繰出容器１Ｄのキャップを開けた状態の斜視図（ａ）と断面図（ｂ）であり、図９は、この繰出容器１Ｄから内容物を繰り出した状態の斜視図（ａ）と断面図（ｂ）である。
【００２５】
この繰出容器１Ｄは、外筒体２、外筒体２の底部に回転可能に設けられた袴部材３、外筒体２の内側に設けられた内筒体１１、内筒体１１内に装着された中皿４、及び外筒体２に外嵌するキャップ５からなっている。外筒体２の内壁には螺旋溝１０が形成されている。内筒体１１は袴部材３に対して不動に設けられており、その壁面に縦長のガイド穴１２が形成されている。また、中皿４には、内筒体１１のガイド穴１２を通して外筒体２の螺旋溝１０に挿入される凸部が形成されており、中皿４の上には棒状に成型された口紅、リップクリーム、糊等の内容物Ａが載る。
【００２６】
したがって、図９の矢印に示すように、外筒体２に対して袴部材３を回転させることにより、中皿４が内筒体１１内を上昇し、中皿４に載っている内容物Ａが繰り出される。また、袴部材３を逆方向に回転させると、中皿４が内筒体１１内を下降し、内容物Ａは内筒体１１内に収容される。
【００２７】
この繰出容器１Ｄにおいても、キャップ５の頂部５ａには、袴部材３の底部に嵌入させることのできる凸部が形成されており、外筒体２の上端部から取り外したキャップ５を、袴部材３の底部に嵌め込むことが可能となっている。したがって、袴部材３の底部に嵌め込んだキャップ５を袴部材３と共に把持することにより、内容物Ａを容易に繰り出すことが可能となる。
【００２８】
また、キャップ５を外筒体２に外嵌させている状態（図７）及びキャップ５の頂部５ａを袴部材３の底部に嵌め込んでいる状態（図８）の双方において、キャップ５の外周面と袴部材３の外周面とが平滑に面一に当接している。したがって、キャップ５と袴部材３が一体感のあるデザインを呈するものとなる。
【産業上の利用可能性】
【００２９】
本発明の繰出容器は、棒状に成型された口紅、リップクリーム、スティック糊等の塗布容器として有用である。
【図面の簡単な説明】
【００３０】
【図１】キャップを閉じた状態の繰出容器の斜視図（ａ）と断面図（ｂ）である。
【図２】キャップを開けた状態の繰出容器の斜視図（ａ）と断面図（ｂ）である。
【図３】内容物を繰り出した状態の繰出容器の斜視図（ａ）と断面図（ｂ）である。
【図４】繰出容器の変形態様の斜視図（ａ）と断面図（ｂ）である。
【図５】繰出容器の変形態様であってキャップを閉じた状態の斜視図（ａ）と断面図（ｂ）である。
【図６】繰出容器の変形態様であってキャップを開けた状態の斜視図（ａ）と断面図（ｂ）である。
【図７】繰出容器の変形態様であってキャップを閉じた状態の斜視図（ａ）と断面図（ｂ）である。
【図８】繰出容器の変形態様であってキャップを開けた状態の斜視図（ａ）と断面図（ｂ）である。
【図９】繰出容器の変形態様であって内容物を繰り出した状態の斜視図（ａ）と断面図（ｂ）である。
【符号の説明】
【００３１】
１Ａ、１Ｂ，１Ｃ、１Ｄ    繰出容器
２      外筒体
３      袴部材
４      中皿
５      キャップ
５ａ    キャップの頂部
５ｂ    キャップの底部
６      ネジ杆
７      縦リブ
８      溝
９      縦溝
１０      螺旋溝
１１      内筒体
１２      ガイド穴
Ａ      内容物
【図１】
2005186992.tif 000003
【図２】
2005186992.tif 000004
【図３】
2005186992.tif 000005
【図４】
2005186992.tif 000006
【図５】
2005186992.tif 000007
【図６】
2005186992.tif 000008
【図７】
2005186992.tif 000009
【図８】
2005186992.tif 000010
【図９】
2005186992.tif 000011